(57)【要約】  【課題】ヘルメット内面に装着されるハンモックが上型と下型のみの使用によって射出成型でき、コストダウンに寄与するとともに、特に、着用者の頭頂面にジャストフィットできるハンモックを提供する。  【解決手段】ハンモック４は、殻体２の頂上部に位置する頭頂板５と、該頭頂板５から放射状に延びる帯状脚部６Ａ〜６Ｈとから成り、各帯状脚部６Ａ〜６Ｈの先端部には孔部７Ａ〜７Ｈが設けられている。頭頂板５は着用者の頭頂面と適合する湾曲面状に形成し、且つ、帯状脚部６Ａ〜６Ｈは平坦面状に形成する。又、ハンモック４は、頭頂板５及び帯状脚部６Ａ〜６Ｈと対応する形状の製品成形面を有する上型１７及び下型１８を用いて射出成型する。【選択図】図１
2007231445.tif 000002
【特許請求の範囲】
【請求項１】
ヘルメットの殻体の頂上部直下に位置する頭頂板と、該頭頂板から放射状に延出し、且つ、先端部に掛止用孔部が設けられた複数の帯状脚部とから成る合成樹脂製のヘルメット用ハンモックの射出成型方法において、
ハンモック成形用の上型と下型は、製品成形面における頭頂板成形領域が着用者の頭頂面と適合するように湾曲面状に形成され、且つ、該製品成形面における帯状脚部成形領域が平坦面状に形成されて成り、
該上型と下型を型締めして形成されたキャビティ内に溶融樹脂を射出充填して硬化させることにより、前記ハンモックの頭頂板を着用者の頭頂面と適合する湾曲面状に成形し、且つ、前記帯状脚部を平坦面状に成形することを特徴とするヘルメット用ハンモックの射出成型方法。
【請求項２】
ヘルメットの殻体の頂上部直下に位置する頭頂板と、該頭頂板から放射状に延出し、且つ、先端部に掛止用孔部が設けられた複数の帯状脚部とから成る合成樹脂製のヘルメット用ハンモックにおいて、前記頭頂板を着用者の頭頂面と適合する湾曲面状に形成し、且つ、前記帯状脚部を平坦面状に形成したことを特徴とするヘルメット用ハンモック。
【発明の詳細な説明】
【技術分野】
【０００１】
本発明はヘルメット用ハンモックの射出成型方法及びヘルメット用ハンモックに関するものであり、特に、産業用安全帽等として広く使用されるヘルメット用ハンモックの射出成型方法及びヘルメット用ハンモックに関するものである。
【背景技術】
【０００２】
従来、安全帽又は保安帽等のヘルメットは、着用者の頭部に冠着される殻体（シェル）内側に合成樹脂製のハンモックやヘッドバンドなどを取り付けて、着用者の頭部を衝撃から保護するように構成されている。
【０００３】
而して、此種ヘルメット用ハンモックとしては、前記殻体の頂上部に位置する頭頂板と、該頭頂板から放射状に延出し、且つ、先端部に掛止用孔部が設けられた複数の帯状脚部とから構成されたものが知られている（例えば、特許文献１）。
【０００４】
前記ハンモックは合成樹脂の射出成型により成形加工されるが、この成形加工では上型と下型を用いて、その間に成形用のキャビティを形成し、該キャビティ内に溶融樹脂を射出充填してハンモックを成形している。この場合、上型と下型は、製品成形面（キャビティに臨む成形面）の全ての領域が一様な平坦面状に形成されている。従って、前記上型と下型により成形加工されたハンモックは、その頭頂板及び帯状脚部の双方が平坦面状に形成されている。
【特許文献１】特開２００２−１０５７３６号公報。
【発明の開示】
【発明が解決しようとする課題】
【０００５】
特許文献１記載の従来のハンモックは、これをヘルメットの殻体に取り付ける場合、頭頂板を前記殻体の頂上部直下にセットして、該殻体の内面下縁部に設けた掛止部に前記帯状脚部先端側の孔部を掛止させて取り付けている。
【０００６】
しかし、前記ハンモックは、頭頂板が平坦面状に形成されているので、頭頂板の平坦状面に着用者の頭頂面がフィットし難く、ヘルメット冠着時に、着用者が違和感を覚えることもある。
【０００７】
前記違和感を無くすためには、例えば帯状脚部を含むハンモック全体を、着用者の頭部形状と対応するように湾曲形状に成形して、該湾曲形状のハンモックをヘルメットの殻体に取り付けることが考えられる。
【０００８】
この場合は、上型と下型のみによってハンモック全体を湾曲形状に成形することはできない。即ち、ハンモック全体を湾曲形状に成形する際には、どうしても上型と下型の外に、多数のスライド型を使用しなければならない。然るときは型代が高騰し、ハンモックの生産コストアップの要因になる。
【０００９】
そこで、ヘルメット内面に装着されるハンモックが上型と下型のみの使用によって成型でき、コストダウンに寄与するとともに、特に、着用者の頭頂面にフィットできるハンモックを生産するために解決すべき技術的課題が生じてくるのであり、本発明は該課題を解決することを目的とする。
【課題を解決するための手段】
【００１０】
本発明は上記目的を達成するために提案されたものであり、請求項１記載の発明は、ヘルメットの殻体の頂上部直下に位置する頭頂板と、該頭頂板から放射状に延出し、且つ、先端部に掛止用孔部が設けられた複数の帯状脚部とから成る合成樹脂製のヘルメット用ハンモックの射出成型方法において、ハンモック成形用の上型と下型は、製品成形面における頭頂板成形領域が、着用者の頭頂面に適合するように湾曲面状に形成され、且つ、該製品成形面における帯状脚部成形領域が平坦面状に形成されて成り、該上型と下型を型締めして形成されたキャビティ内に溶融樹脂を射出充填して硬化させることにより、前記ハンモックの頭頂板を着用者の頭頂面と適合する湾曲面状に成形し、且つ、前記帯状脚部を平坦面状に成形するヘルメット用ハンモックの射出成型方法を提供する。
【００１１】
この方法によれば、ハンモック成形用の上型と下型によって形成される製品成形面（キャビティ面）は、着用者の頭頂面に適合する湾曲面状の頭頂板成形領域と、平坦面状の帯状脚部成形領域とを有する。而して、該上型と下型を用いてハンモックを射出成型する際は、該上型と下型を型締めしてキャビティを形成し、該キャビティ内に溶融樹脂を射出充填し該樹脂を硬化させることにより、頭頂板が着用者の頭頂面と適合する湾曲面状に形成され、且つ、帯状脚部が平坦面状に形成されたハンモックが得られる。
【００１２】
請求項２記載の発明は、ヘルメットの殻体の頂上部直下に位置する頭頂板と、該頭頂板から放射状に延出し、且つ、先端部に掛止用孔部が設けられた複数の帯状脚部とから成る合成樹脂製のヘルメット用ハンモックにおいて、前記頭頂板を着用者の頭頂面と適合する湾曲面状に形成し、且つ、前記帯状脚部を平坦面状に形成して成るヘルメット用ハンモックを提供する。
【００１３】
この構成によれば、ハンモックの頭頂板が着用者の頭頂面と適合する湾曲面状に形成されているので、ヘルメット冠着時に、湾曲面状の頭頂板に着用者の頭頂面がジャストフィットする。又、該ハンモックの頭頂板を湾曲面状に形成し、且つ、該ハンモックの帯状脚部を平坦面状に形成したので、両者相まってハンモックを射出成型する際は、上型と下型のみを使用して該ハンモックが成型される。
【発明の効果】
【００１４】
請求項１記載の発明は、ハンモック成形用の上型と下型は、キャビティ面の頭頂板成形領域が湾曲面状に形成されているので、該キャビティ面の帯状脚部成形領域が平坦面状に形成されていることと相俟って、着用者の頭頂面にフィットするハンモックを上型と下型のみの使用により容易に成形でき、この場合、スライド型の使用が不要となるため、型代を高騰させることもなく、ハンモックを安価に量産することができる。
【００１５】
請求項２記載の発明は、ヘルメット冠着時、特にハンモックの頭頂板に着用者の頭頂面がジャストフィットするので、着用者に違和感を与えることなく、ヘルメットの着用安定性が著しく向上する。又、ハンモックの頭頂板のみを湾曲面状に形成し、帯状脚部を平坦面状に形成したので、本発明のハンモックを射出成型する際は、上型と下型のみの使用で成形することができ、従って、スライド型の使用が不要となり、型代が最小限に抑えられることにより、ハンモックの生産コストを低廉化することも可能になる。
【発明を実施するための最良の形態】
【００１６】
本発明は、ヘルメット内面に装着されるハンモックが上型と下型のみの使用によって成型でき、コストダウンに寄与するとともに、特に、着用者の頭頂面にフィットできるハンモックを生産するという目的を、ヘルメットの殻体の頂上部直下に位置する頭頂板と、該頭頂板から放射状に延出し、且つ、先端部に掛止用孔部が設けられた複数の帯状脚部とから成る合成樹脂製のヘルメット用ハンモックの射出成型方法において、ハンモック成形用の上型と下型は、製品成形面における頭頂板成形領域が、着用者の頭頂面に適合するように湾曲面状に形成され、且つ、該製品成形面における帯状脚部成形領域が平坦面状に形成されて成り、該上型と下型を型締めして形成されたキャビティ内に溶融樹脂を射出充填して硬化させることにより、前記ハンモックの頭頂板を着用者の頭頂面と適合する湾曲面状に成形し、且つ、前記帯状脚部を平坦面状に成形することによって達成した。
【実施例】
【００１７】
以下、本発明の好適な実施例を図１乃至図４に従って説明する。図１は本実施例に係るヘルメット１の内面側を示す裏面図である。同図において、２は合成樹脂の射出成型により形成されたヘルメット１の殻体（シェル）であり、該殻体２は、着用者の頭部に冠着できるように略半球状に形成されている。殻体２の内側下縁部には、８個の略Ｌ字状掛止部（ブラケット）３Ａ〜３Ｈが所定間隔を有して設けられている。図１における左側の掛止部３Ａ〜３Ｄと右側の掛止部３Ｅ〜３Ｈは、互いに対峙する位置に配設されている。
【００１８】
又、殻体２の内面側にはハンモック４が設けられ、該ハンモック４は、合成樹脂により射出成型されている。更に、図２のハンモック４の裏面図に示すように、該ハンモック４は、殻体２の頂上部直下に位置する頭頂板５と、該頭頂板５から放射状に延びる８本の可撓性帯状脚部６Ａ〜６Ｈとから成り、各帯状脚部６Ａ〜６Ｈの先端部には、掛止用孔部（止着部）７Ａ〜７Ｈが設けられている。
【００１９】
図３は図２のＡ−Ａ線断面図、図４は図２に示すハンモック４の正面図であるが、両図に示すように、ハンモック４の頭頂板５は、着用者の頭頂面と適合するように、上方へ凸の湾曲面状に形成され、頭頂板５の中央部には所要サイズの孔８が形成されており、該孔８は材料の節減に寄与する。又、前記孔部７Ａ〜７Ｈを含む各帯状脚部６Ａ〜６Ｈは、平坦面状に形成されており、各帯状脚部６Ａ〜６Ｈは、頭頂板５の外周部から放射方向へ延出し、各帯状脚部６Ａ〜６Ｈの先端側に設けた孔部７Ａ〜７Ｈは、前記掛止部３Ａ〜３Ｈに脱着可能に掛止固定される。
【００２０】
尚、図２の構成例では、相互に隣り合う帯状脚部６Ａと６Ｂの先端部同士、帯状脚部６Ｃと６Ｄの先端部同士、帯状脚部６Ｅと６Ｆの先端部同士、帯状脚部６Ｇと６Ｈの先端部同士はそれぞれ、殻体２の周方向に延びる橋渡し部９Ａ〜９Ｄにより連絡されている。又、各橋渡し部９Ａ〜９Ｄの中央部にはそれぞれ、突起片１０Ａ〜１０Ｄが放射方向に延設され、該突起片１０Ａ〜１０Ｄにはそれぞれ、ヘッドバンド用取付孔１１Ａ〜１１Ｄが３個縦列に穿設されている。但し、帯状脚部６Ａ〜６Ｈ及び橋渡し部９Ａ〜９Ｄ並びに突起片１０Ａ〜１０Ｄ、ヘッドバンド用取付孔１１Ａ〜１１Ｄは上記構成に限定せられるべきではなく、一般に成形されているもののすべてに及ぶことは当然である。
【００２１】
上記ハンモック４の内側面には、図１に示すように、帯状のヘッドバンド１２が設けられ、該ヘッドバンド１２は全体として略Ｃ字状に形成されている。又、該ヘッドバンド１２の前方側（図１における下側）内面には、不織布等から成る汗吸収布１２ａが装着されている。更に、ヘッドバンド１２外面には長孔（図示せず）が形成され、各長孔には係止ピン１３が位置調整可能に嵌合されている。又、該係止ピン１３の先端部は夫々、ハンモック４側に設けた上記ヘッドバンド用取付孔１１Ａ〜１１Ｄに脱着可能に係止されている。
【００２２】
更に又、ヘッドバンド１２の後方側（図１における上側）左右端部には、着用者の後頭部に当接する分岐部が設けられ、該左右両側の分岐部同士は、アジャスタ機構１４を介して連結されている。該アジャスタ機構１４により、ヘッドバンド１２の長さを調整できるように構成されている。
【００２３】
また、殻体２に設けた左側掛止部３Ａと掛止部３Ｂの間には、左側耳紐１５が掛け渡されていると共に、右側掛止部３Ｇと掛止部３Ｈの間には右側耳紐１６が掛け渡されている。更に、左側耳紐１５と右側耳紐１６との間には、ワンタッチ式バックル付きの顎紐（図示せず）が掛け渡され、該バックルの操作により、顎紐をワンタッチで着脱することができる。
【００２４】
上記ヘルメット１にハンモック４等の内装品を組付ける場合は、先ず、殻体２に設けた掛止部３Ａと掛止部３Ｃの間に左側耳紐１６を掛け渡すと共に、掛止部３Ｅと掛止部３Ｇの間に右側耳紐１６を掛け渡す。次に、前記殻体２の内側にハンモック４をセットして、ハンモック４の帯状脚部６Ａ〜６Ｈの先端側に設けた孔部７Ａ〜７Ｈを夫々、殻体２側の掛止部３Ａ〜３Ｈに掛止固定して、殻体２にハンモック４を取り付ける。
【００２５】
このとき、該帯状脚部６Ａ〜６Ｈは殻体２内面に沿って湾曲形成されて取り付けられることになる。斯くして、ハンモック４は、着用者の頭頂面と適合した形状面を維持して、全体として上方に凸の略半球状曲面を呈して取り付けられる。然る後、ヘッドバンド１２をハンモック４の内側にセットし、該ヘッドバンド１２を係止ピン１３にてハンモック４の取付孔１１Ａ〜１１Ｄに固定する。
【００２６】
本実施例では、合成樹脂製のハンモック４は、上型１７及び下型１８を使用して射出成型される。該上型１７及び下型１８は、図３に示すように、合成樹脂注入部（キャビティ）を形成するキャビティ面１９及び２０が対峙して配設されており、且つ、キャビティ面１９及び２０によって形成される頭頂板成形領域１９ａ及び２０ａは、着用者の頭頂面形状と適合するように、上方へ凸の湾曲面状に形成され、且つ、該キャビティ面１９及び２０における帯状脚部成形領域１９ｂ及び２０ｂは平坦面状に形成されている。
【００２７】
前記上型１７及び下型１８を用いて、ハンモック４を射出成型する際は、先ず、上型１７及び下型１８を型締めすることにより、両者の間に成形用のキャビティを形成して、該キャビティ内に溶融樹脂を射出充填する。その後、該溶融樹脂を硬化させることにより、適度な可撓性を有するハンモック４が得られる。該得られたハンモック４は、図４に示すように、該ハンモック４の頭頂板５が着用者の頭頂面と適合する湾曲面状に形成され、且つ、該ハンモック４の帯状脚部６Ａ〜６Ｈが平坦状面に形成される。
【００２８】
以上のとおり、ハンモック４の頭頂板５は、着用者の頭頂面形状と適合する湾曲面状に形成される。斯くして、着用者がヘルメット１を冠着すると、着用者の頭頂面がハンモック４の頭頂板５にジャストフィットし、着用者の頭頂面とハンモック４との密着性が著しく向上し、従来品のようにハンモックの頭頂板によって着用者の頭頂部に痛みを感じさせたり、或いは、違和感を覚えさせるようなことは全くなくなる。
【００２９】
また、ハンモック成形用の上型１７と下型１８は、前述のとおり上記キャビティ面１９及び２０における頭頂板成形領域１９ａ及び２０ａが湾曲面状に形成され、且つ、該キャビティ面１９及び２０における帯状脚部成形領域１９ｂ及び２０ｂが平坦面状に形成されているので、ハンモック４を射出成型する際は、上型１７と下型１８のみの使用で済み、斯くして、スライド型の使用が全く不要となる。このため、型代を最小限に抑えることができ、ハンモック４の生産コストダウンに寄与することができるとともに、着用者の頭部とジャストフィットするハンモック４を容易に射出成型できる。
【００３０】
本発明は、本発明の精神を逸脱しない限り種々の改変を為すことができ、そして、本発明が該改変されたものに及ぶことは当然である。
【図面の簡単な説明】
【００３１】
【図１】本発明の実施例に係るヘルメットの内側を示す裏面図。
【図２】ヘルメット用のハンモックを示す裏面図。
【図３】図２のＡ−Ａ線断面図。
【図４】図２に示すハンモックの正面図。
【符号の説明】
【００３２】
１            ヘルメット
２            殻体
３Ａ〜３Ｈ    掛止部
４            ハンモック
５            頭頂板
６Ａ〜６Ｈ    帯状脚部
７Ａ〜７Ｈ    孔部（止着部）
８            孔
９Ａ〜９Ｄ    橋渡し部
１０Ａ〜１０Ｄ突起片
１１Ａ〜１１Ｄ取付孔
１２          ヘッドバンド
１３          係止ピン
１４          アジャスタ機構
１５，１６    耳紐
１７          上型
１８          下型
１９，２０    キャビティ面（製品成形面）
１９ａ，２０ａ頭頂板成形領域
１９ｂ，２０ｂ帯状脚部成形領域
【図１】
2007231445.tif 000003
【図２】
2007231445.tif 000004
【図３】
2007231445.tif 000005
【図４】
2007231445.tif 000006